【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
遊技に関する情報を記憶した記憶手段と、遊技に関する制御を行う制御手段とを備えた遊技機において、
判別条件の成立に基づいて判別を実行する判別手段と、
その判別手段による判別で特定の判別結果となったことに基づいて遊技者に有利な特典遊技を実行する特典遊技実行手段と、
その特典遊技実行手段により実行される前記特典遊技の種別を複数の特典遊技種別の中から決定する特典遊技種別決定手段と、
その特典遊技種別決定手段によって決定された前記特典遊技種別に対応する遊技状態を、前記特典遊技の終了条件が成立したことに基づいて設定する遊技状態設定手段とを備え、
前記記憶手段は、前記遊技状態設定手段によって遊技状態を設定するための設定データと、その設定データを識別するための識別データとを対応させて前記遊技状態毎に規定した規定情報を記憶しているものであり、
前記遊技機は、
前記特典遊技種別決定手段により前記特典遊技種別が決定されたことに基づいて、その決定された特典遊技種別に対応する前記識別データを前記記憶手段から選択する選択手段と、
その選択手段によって選択された前記識別データを少なくとも前記特典遊技の終了条件が成立するまで保持する保持手段とを備え、
前記遊技状態設定手段は、前記保持手段によって保持されている前記識別データに対応する前記設定データを、前記特典遊技の終了条件の成立に基づいて前記規定情報から読み出して設定するものであり、
前記保持手段は、前記遊技機の電源が遮断された後も、前記識別データを保持可能に構成されているものであることを特徴とする遊技機。
【請求項２】
前記制御手段を収納することが可能な収納ボックスを有することを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて取得した乱数値を用いて、当たり状態とするか否かの抽選を行うものがある。
【手続補正３】
【補正対象書類名】明細書
【補正対象項目名】０００４
【補正方法】変更
【補正の内容】
【０００４】
しかしながら、かかる遊技機では、当たり状態の終了後等に遊技状態を好適に設定することができない場合があった。
【手続補正４】
【補正対象書類名】明細書
【補正対象項目名】０００５
【補正方法】変更
【補正の内容】
【０００５】
本発明は、上記例示した問題点等を解決するためになされたものであり、遊技状態を好適に設定できる遊技機を提供することを目的としている。
【手続補正５】
【補正対象書類名】明細書
【補正対象項目名】０００６
【補正方法】変更
【補正の内容】
【０００６】
この目的を達成するために請求項１記載の遊技機は、遊技に関する情報を記憶した記憶手段と、遊技に関する制御を行う制御手段とを備えたものであり、判別条件の成立に基づいて判別を実行する判別手段と、その判別手段による判別で特定の判別結果となったことに基づいて遊技者に有利な特典遊技を実行する特典遊技実行手段と、その特典遊技実行手段により実行される前記特典遊技の種別を複数の特典遊技種別の中から決定する特典遊技種別決定手段と、その特典遊技種別決定手段によって決定された前記特典遊技種別に対応する遊技状態を、前記特典遊技の終了条件が成立したことに基づいて設定する遊技状態設定手段とを備え、前記記憶手段は、前記遊技状態設定手段によって遊技状態を設定するための設定データと、その設定データを識別するための識別データとを対応させて前記遊技状態毎に規定した規定情報を記憶しているものであり、前記遊技機は、前記特典遊技種別決定手段により前記特典遊技種別が決定されたことに基づいて、その決定された特典遊技種別に対応する前記識別データを前記記憶手段から選択する選択手段と、その選択手段によって選択された前記識別データを少なくとも前記特典遊技の終了条件が成立するまで保持する保持手段とを備え、前記遊技状態設定手段は、前記保持手段によって保持されている前記識別データに対応する前記設定データを、前記特典遊技の終了条件の成立に基づいて前記規定情報から読み出して設定するものであり、前記保持手段は、前記遊技機の電源が遮断された後も、前記識別データを保持可能に構成されているものである。
【手続補正６】
【補正対象書類名】明細書
【補正対象項目名】０００７
【補正方法】変更
【補正の内容】
【０００７】
請求項２記載の遊技機は、請求項１記載の遊技機において、前記制御手段を収納することが可能な収納ボックスを有する。
【手続補正７】
【補正対象書類名】明細書
【補正対象項目名】０００８
【補正方法】変更
【補正の内容】
【０００８】
本発明の遊技機によれば、遊技に関する情報を記憶した記憶手段と、遊技に関する制御を行う制御手段とを備えたものであり、判別条件の成立に基づいて判別を実行する判別手段と、その判別手段による判別で特定の判別結果となったことに基づいて遊技者に有利な特典遊技を実行する特典遊技実行手段と、その特典遊技実行手段により実行される前記特典遊技の種別を複数の特典遊技種別の中から決定する特典遊技種別決定手段と、その特典遊技種別決定手段によって決定された前記特典遊技種別に対応する遊技状態を、前記特典遊技の終了条件が成立したことに基づいて設定する遊技状態設定手段とを備え、前記記憶手段は、前記遊技状態設定手段によって遊技状態を設定するための設定データと、その設定データを識別するための識別データとを対応させて前記遊技状態毎に規定した規定情報を記憶しているものであり、前記遊技機は、前記特典遊技種別決定手段により前記特典遊技種別が決定されたことに基づいて、その決定された特典遊技種別に対応する前記識別データを前記記憶手段から選択する選択手段と、その選択手段によって選択された前記識別データを少なくとも前記特典遊技の終了条件が成立するまで保持する保持手段とを備え、前記遊技状態設定手段は、前記保持手段によって保持されている前記識別データに対応する前記設定データを、前記特典遊技の終了条件の成立に基づいて前記規定情報から読み出して設定するものであり、前記保持手段は、前記遊技機の電源が遮断された後も、前記識別データを保持可能に構成されているものである。
【手続補正８】
【補正対象書類名】明細書
【補正対象項目名】０００９
【補正方法】変更
【補正の内容】
【０００９】
これにより、遊技状態を好適に設定することができるという効果がある。
【手続補正９】
【補正対象書類名】明細書
【補正対象項目名】００１０
【補正方法】削除
【補正の内容】
【手続補正１０】
【補正対象書類名】明細書
【補正対象項目名】０５０７
【補正方法】変更
【補正の内容】
【０５０７】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、始動入賞口への遊技球の入賞に基づいて取得した乱数値を用いて、当たり状態とするか否かの抽選を行うものがある。かかる遊技機の中には、次に当たり状態とするか否かの抽選が行われるまで、取得した乱数値を保持し続けるものがある（例えば、特許文献１：特開２０１３−１６６０３６号公報）。
しかしながら、かかる遊技機では、抽選結果が当たりであっても、抽選に用いた乱数値を次の抽選が行われるまで保持し続けるので、当たりとなる乱数値を当たり状態中に外部から不正に取得される虞があった。また、抽選結果が当たりだった場合に、取得した乱数値を当たり状態の設定後に消去すると、当たり状態の終了後の遊技状態を、当たり種別に応じた遊技状態に設定することができない虞があった。
本技術的思想は、上記例示した問題点を解決するためになされたものであり、当たりとなる乱数値が不正に取得されることを抑制できる遊技機を提供することを目的としている。
＜手段＞
この目的を達成するために技術的思想１の遊技機は、遊技に関する情報を記憶した記憶手段と、遊技に関する制御を行う制御手段とを備えており、遊技状態を決定する遊技状態決定手段と、その遊技状態決定手段によって決定された遊技状態に、所定条件の成立に基づいて設定する遊技状態設定手段とを備え、前記記憶手段は、前記遊技状態設定手段によって遊技状態を設定するための設定データと、その設定データを選択するために必要なデータである識別データとを記憶しているものであり、前記遊技状態決定手段により決定された遊技状態に対応する識別データを前記記憶手段から選択する選択手段と、その選択手段によって選択された識別データを少なくとも前記所定条件が成立するまで保持する保持手段とを備え、前記遊技状態設定手段は、前記保持手段によって保持されている識別データに対応する前記設定データを、所定条件の成立に基づいて前記記憶手段から読み出して設定するものである。
技術的思想２の遊技機は、技術的思想１記載の遊技機において、前記識別データは、前記設定データよりもサイズが小さいものである。
＜効果＞
技術的思想１記載の遊技機によれば、遊技状態決定手段により遊技状態が決定され、その決定された遊技状態を遊技状態設定手段によって設定するための設定データと、その設定データを選択するために必要な識別データとが記憶手段によって記憶されている。遊技状態決定手段により決定された遊技状態に対応する識別データが選択手段によって記憶手段から選択され、選択手段によって選択された識別データは保持手段によって所定条件が成立するまで保持される。保持手段によって保持されている識別データに対応する設定データが、所定条件の成立に基づいて遊技状態設定手段によって記憶手段から読み出されて設定される。
これにより、遊技状態決定手段によって決定された遊技状態に対応する識別データが保持手段によって保持されるので、遊技状態決定手段による遊技状態の決定方法が外部から取得されることを抑制することができる。よって、遊技状態決定手段に対して、遊技者にとって有利となる遊技状態に決定するよう外部から制御する不正行為を抑制することができるという効果がある。
技術的思想２記載の遊技機によれば、技術的思想１記載の遊技機の奏する効果に加え、識別データは設定データよりもサイズが小さいので、設定データを保持手段によって保持しておく場合に比べて保持手段の記憶するデータ量を削減することができるという効果がある。
【手続補正１１】
【補正対象書類名】明細書
【補正対象項目名】０５０８
【補正方法】変更
【補正の内容】
【０５０８】
１０                      パチンコ機（遊技機）
１１０                    主制御装置（制御手段）
２０２                    ＲＯＭ（記憶手段）
２０２ｆ                  状態設定テーブル（記憶手段）
２０３                    ＲＡＭ（保持手段）
２０３ｅ                  各種設定値格納エリア（保持手段）
Ｓ４０２                  特典遊技種別決定手段
Ｓ５０１，Ｓ５０４        選択手段
Ｓ１３０６，Ｓ１３０９    遊技状態設定手段